(57)【要約】【課題】  携帯電話機に複数のスピーカ装置を設ける場合に必要となる該各スピーカ装置の設置面積を削減し、携帯電話機の小型化を図る。【解決手段】  第１のスピーカ装置１１及び第２のスピーカ装置１２の各放音方向が反対方向となるように、該各スピーカ装置１１，１２の各底面部同士をそれぞれ相対向させた状態で接続する。そして、各スピーカ装置１１，１２の各放音方向が当該携帯電話機の厚み方向に沿った方向となるように、該各スピーカ装置１１，１２を筐体１のスピーカ収納部８に設ける。これにより、一つのスピーカ装置の設置面積で２つのスピーカ装置１１，１２を設けることができ、該各スピーカ装置１１，１２の設置面積を削減し、当該携帯電話機の小型化を図ることができる。【選択図】  図１
2009060426.tif 000002
【特許請求の範囲】
【請求項１】
放音を行う第１のスピーカ装置と、
上記第１のスピーカ装置の反放音部側である底面部に対して、底面部が相対向するように設けられることで、上記第１のスピーカ装置の放音方向に対して反対方向に放音を行うように設けられた第２のスピーカ装置と、
上記第１及び第２のスピーカ装置のうち、音声の出力に用いるスピーカ装置を、当該携帯端末装置の使用条件に応じてオンオフ制御するオンオフ制御手段と、
上記オンオフ制御手段によりオン制御された上記第１のスピーカ装置、及び／又は、上記第２のスピーカ装置を介して所定の音声を出力制御する音声出力制御手段と
を有し、
上記第１のスピーカ装置及び上記第２のスピーカ装置は、各放音方向が反対方向となるように、各底面部同士をそれぞれ相対向させた状態で、かつ、上記各放音方向が当該携帯端末装置の厚み方向に沿った方向となるように設けられていること
を特徴とする携帯端末装置。
【請求項２】
請求項１に記載の携帯端末装置であって、
上記音声出力制御手段は、上記第１のスピーカ装置及び上記第２のスピーカ装置からそれぞれ音声を出力する場合、上記第１のスピーカ装置から出力する音声の音量よりも上記第２のスピーカ装置から出力する音声の音量が所定分多くなるように、各スピーカ装置から出力する音声の音量を調整制御すると共に、上記第２のスピーカ装置から出力する音声の高域の音量を多くすると共に低域の音量を少なくするように、該第２のスピーカ装置から出力する音声の音量を調整制御すること
を特徴とする携帯端末装置。
【請求項３】
請求項１又は請求項２に記載の携帯端末装置であって、
無線電話機能と、
送話音声を検出するマイクロホン部とを有し、
上記第１のスピーカ装置は、所定の音声出力用のスピーカ装置及び受話音声出力用のスピーカ装置を兼用しており、
上記オンオフ制御手段は、上記無線電話機能を用いた通話時には、上記兼用のスピーカ装置となっている上記第１のスピーカ装置をオン制御すると共に、上記第２のスピーカ装置をオフ制御すること
を特徴とする携帯端末装置。
【請求項４】
請求項１から請求項３のうち、いずれか一項に記載の携帯端末装置であって、
ハンズフリー無線電話機能と、
当該携帯端末装置の周囲の音声を検出する周囲音声検出用マイクロホン部とを有し、
上記オンオフ制御手段は、上記ハンズフリー無線電話機能を用いた通話時において、上記周囲音声検出用マイクロホン部で検出された当該携帯端末装置の周囲の音声の音量が所定音量以上の場合に、上記第１のスピーカ装置及び上記第２のスピーカ装置を共にオン制御し、上記周囲音声検出用マイクロホン部で検出された当該携帯端末装置の周囲の音声の音量が所定音量よりも少ない場合に、上記第１のスピーカ装置をオン制御すると共に上記第２のスピーカ装置をオフ制御すること
を特徴とする携帯端末装置。
【請求項５】
請求項３又は請求項４に記載の携帯端末装置であって、
上記無線電話機能、或いは上記ハンズフリー無線電話機能における着信音出力機能を有し、
上記オンオフ制御手段は、上記着信音出力機能に基づいて着信音を出力する場合、上記兼用のスピーカ装置となっている上記第１のスピーカ装置をオフ制御すると共に、上記第２のスピーカ装置をオン制御すること
を特徴とする携帯端末装置。
【請求項６】
請求項３に記載の携帯端末装置であって、
アラーム音出力機能を有し、
上記オンオフ制御手段は、上記アラーム音出力機能に基づいてアラーム音の出力を行う場合、上記兼用のスピーカ装置となっている上記第１のスピーカ装置をオフ制御すると共に、上記第２のスピーカ装置をオン制御すること
を特徴とする携帯端末装置。
【請求項７】
請求項１から請求項６のうち、いずれか一項に記載の携帯端末装置であって、
音楽再生機能を有し、
上記オンオフ制御手段は、上記音楽再生機能に基づいて音楽出力を行う場合、上記第１及び第２のスピーカ装置を共にオン制御すること
を特徴とする携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、ノート型のパーソナルコンピュータ装置等の携帯機器に適用して好適な携帯端末装置に関し、特に、複数のスピーカ装置を小設置スペースで設けることを可能として機器の小型化を図った携帯端末装置に関する。
【背景技術】
【０００２】
特開２００３−７８６０１号の公開特許公報（特許文献１）に、スピーカの個数の増加を抑えて、表示画面の向きをいずれにしても、ステレオ音声を良好に聴取可能とした携帯端末が開示されている。この携帯端末は、上ケースと下ケースとがヒンジ部で連結された、いわゆる折り畳み型の携帯端末となっており、上ケースには、矩形状の表示画面が設けられている。また、上ケースに設けられた表示画面の上側の右端の領域に第１のスピーカが設けられ、該表示画面の下側の左端の領域に第２のスピーカが設けられている。
【０００３】
第１及び第２のスピーカは、ステレオ音声再生用のスピーカを形成しており、当該携帯端末の縦向きの使用状態におけるステレオ音声再生時には、第１のスピーカから右チャンネル用の音声が出力制御され、第２のスピーカから左チャンネル用の音声が出力制御されるようになっている。また、当該携帯端末の横向きの使用状態におけるステレオ音声再生時には、第１のスピーカから左チャンネル用の音声が出力制御され、第２のスピーカから右チャンネル用の音声が出力制御されるようになっている。
【０００４】
【特許文献１】特開２００３−７８６０１号公報（第３頁〜第５頁、図４）
【発明の開示】
【発明が解決しようとする課題】
【０００５】
しかし、上述の特許文献１に開示されている携帯端末の場合、上ケースに設けられた表示画面の上下の領域に、第１のスピーカ及び第２のスピーカをそれぞれ設けている。換言すれば、上ケースという２次元平面上に各スピーカを２次元的に配置している。このため、各スピーカを設置するスペースの分だけ、必然的に上ケースが大型化し、牽いては携帯端末が大型化する問題があった。
【０００６】
本発明は、上述の課題に鑑みてなされたものであり、複数のスピーカ装置を小設置スペースで設けることができ、機器の小型化を図ることができるような携帯端末装置の提供を目的とする。
【課題を解決するための手段】
【０００７】
本発明に係る携帯端末装置は、
放音を行う第１のスピーカ装置と、
上記第１のスピーカ装置の反放音部側である底面部に対して、底面部が相対向するように設けられることで、上記第１のスピーカ装置の放音方向に対して反対方向に放音を行うように設けられた第２のスピーカ装置と、
上記第１及び第２のスピーカ装置のうち、音声の出力に用いるスピーカ装置を、当該携帯端末装置の使用条件に応じてオンオフ制御するオンオフ制御手段と、
上記オンオフ制御手段によりオン制御された上記第１のスピーカ装置、及び／又は、上記第２のスピーカ装置を介して所定の音声を出力制御する音声出力制御手段とを有し、
上記第１のスピーカ装置及び上記第２のスピーカ装置を、各放音方向が反対方向となるように、各底面部同士をそれぞれ相対向させた状態で、かつ、上記各放音方向が当該携帯端末装置の厚み方向に沿った方向となるように設けることで、上述の課題を解決する。
【０００８】
このような本発明に係るスピーカ装置は、第１のスピーカ装置及び上記第２のスピーカ装置の各放音方向が反対方向となるように、該各スピーカ装置の各底面部同士をそれぞれ相対向させた状態で設けることで、一つのスピーカ装置の設置スペースに対して２つのスピーカ装置を設けることができる。このため、複数のスピーカ装置を小設置スペースで設けることができ、機器の小型化を図ることができる。
【発明の効果】
【０００９】
本発明に係る携帯端末装置は、複数のスピーカ装置を小設置スペースで設けることができ、機器の小型化を図ることができる。
【発明を実施するための最良の形態】
【００１０】
本発明に係る携帯端末装置は、携帯電話機に適用することができる。
【００１１】
［携帯電話機の外観構成］
まず、本発明が適用された実施の形態となる携帯電話機の正面図を図１（ａ）に、当該携帯電話機を長手方向に沿って切断した状態の切断面を示す断面図を図１（ｂ）に示す。一例ではあるが、この携帯電話機は、全長×横幅×厚さが１０３ｍｍ×４６．５ｍｍ×７．８ｍｍの小型化及び薄型化された、いわゆるストレート型（＝スティック型）の携帯電話機となっている。
【００１２】
筐体１の正面部１ａには、長手方向に沿って上から順に表示部２及び操作部３が設けられており、筐体１の底面部１ｂと操作部３との間には、送話用のマイクロホン部４が設けられている。また、筐体１の上面部１ｃと表示部２の上端部２ａとの間には、筐体１の短手方向に沿って左から順に、第１のカメラ装置５、スピーカ装置６、及び第２のカメラ装置７が設けられている。
【００１３】
第１のカメラ装置５は、例えば通話相手の携帯電話機との間で互いに音声及び画像を送受信するテレビ電話通話を行う際に当該携帯電話機を使用しているユーザを撮像するためのカメラ装置（いわゆる、自分撮り用のカメラ装置）となっている。また、第２のカメラ装置７は、主に所望の被写体を撮像するためのカメラ装置となっている。
【００１４】
スピーカ装置６は、図１（ｂ）に示すように第１のスピーカ装置１１及び第２のスピーカ装置１２の底面部（放音を行う音響出力部の反対側の面部）同士を接続した全体形状を有している。一例ではあるが、第１のスピーカ装置１１及び第２のスピーカ装置１２は、それぞれ３．９ｍｍの高さを有する８Ωのダイナミックスピーカ装置となっている。
【００１５】
筐体１の上面部１ｃと表示部２の上端部２ａとの間には、図１（ａ）中、点線で囲んで示すように、１０ｍｍ四方のスピーカ収納部８が設けられている。このスピーカ収納部８に、第１のスピーカ装置１１の放音を行う音響出力部が筐体１の正面部１ａ側（＝表示部２の表示面側）に向くように、また、第２のスピーカ装置１２の放音を行う音響出力部が筐体１の背面部１ｄ側に向くように、各底面部同士が接続された第１のスピーカ装置１１及び第２のスピーカ装置１２が収納されている。
【００１６】
このスピーカ収納部８に収納された第１のスピーカ装置１１及び第２のスピーカ装置１２のうち、第２のスピーカ装置１２は、例えば音楽、動画像の音声、ラジオ音声、テレビジョン音声、発着信音等の音響出力を得るための外部出力専用のスピーカ装置となっている。
【００１７】
これに対して、放音を行う音響出力部が筐体１の正面部１ａ側に向くようにスピーカ収納部８に収納された第１のスピーカ装置１１は、上記音楽等の音響出力を得るためのスピーカ装置と、音声通話時及びテレビ電話通話時に受話音声を得るためのスピーカ装置とを兼用するスピーカ装置となっている。
【００１８】
すなわち、音楽等の音響出力を得る場合には、上記第１及び第２のスピーカ装置１１，１２が共に出力制御され、該各スピーカ装置１１，１２を介して該音楽等の音響出力を得るようになっている。また、受話音声を得る場合には、上記第１のスピーカ装置１１のみが出力制御され、該第１のスピーカ装置１１のみを介して該受話音声の音響出力を得るようになっている。
【００１９】
なお、この携帯電話機の制御部は、第１のスピーカ装置１１を外部出力用のスピーカ装置として用いる場合には、第２のスピーカ装置１２と同様の利得で増幅した音声信号を該第１のスピーカ装置１１に供給し、第１のスピーカ装置１１を通話時の受話音声を得るスピーカ装置として用いる場合には、当該受話音声を受話に適した音量とする利得で増幅した受話音声を該第１のスピーカ装置１１に供給する音量調整制御を行うことで、該第１のスピーカ装置１１を、外部出力用のスピーカ装置及び受話音声用のスピーカ装置として使い分けるようになっている。
【００２０】
〔スピーカ装置の詳細な構成〕
図２に、スピーカ装置６の斜視図を示す。この図２からもわかるように、スピーカ装置６は、第１のスピーカ装置１１及び第２のスピーカ装置１２の各底面部同士を、例えば両面テープ等の接着部材２０を介して接続した全体形状を有している。
【００２１】
各スピーカ装置１１，１２は、スピーカフレーム部２１に、放音を行う略円形状の音響出力部２２を備えたスピーカ機能部２３を埋設して形成されている。スピーカフレーム部２１は、スピーカ機能部２３の音響出力部２２の径よりも若干大きめとなる略矩形状の全体形状を有しており、埋設されたスピーカ機能部２３を支持している。また、スピーカフレーム部２１は、一側面部２４の両端部を、略円形状を有する上記音響出力部２２の外周部に近接する位置からそれぞれ切り落とすかたちで設けられた一対の切り欠き部２５を有している。各切り欠き部２５には、当該第１のスピーカ装置１１に音声信号を供給するための音声信号入力端子２６が、上記各切り欠き部２５における上記一側面部２４に対して平行となる面部にそれぞれ設けられている。
【００２２】
すなわち、略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に余剰部分が形成される。このため、この余剰部分に相当する、スピーカフレーム部２１の一側面部２４の両端部を、上記音響出力部２２の外周部に近接する位置から切り落とすことで一対の切り欠き部２５を形成し、この各切り欠き部２５に音声信号入力端子２６をそれぞれ設けている。これにより、各音声入力端子２６を設ける部分（＝上記切り欠き部２５の部分）を確保したうえで、スピーカフレーム部２１一杯の大きさの音響出力部２２を備えたスピーカ機能部２３を該スピーカフレーム部２１に設けることが可能となっている。
【００２３】
〔スピーカ装置の機能〕
図３に、各スピーカ装置１１，１２の正面図（音響出力部２２が設けられる面部側から見た図）を示す。この図３中、点線は、スピーカフレーム部２１の前面部（音響出力部２２が設けられる側の面部）に音声入力端子を設けた場合における該音声入力端子の設置面積と、この場合に選択可能な音響出力部の径を示している。また、この図３中、太線は、スピーカフレーム部２１に、実際に設けられた音響出力部２２の径を示している。
【００２４】
この図３からわかるように、スピーカフレーム部２１の前面部に音声入力端子を設けた場合、音声入力端子の設置面積で音響出力部の設置面積が浸食されることで、スピーカフレーム部２１の大きさよりも、かなり小さな径の音響出力部となる不都合を生ずる。
【００２５】
これに対して、当該実施の形態の携帯電話機に設けられるスピーカ装置６の場合、略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に形成される余剰部分に、上記一対の切り欠き部２５を形成し、この各切り欠き部２５に音声信号入力端子２６をそれぞれ設けている。
【００２６】
このため、各音声入力端子２６を設ける部分（＝上記切り欠き部２５の部分）を確保したうえで、図３中、太線で示すようにスピーカフレーム部２１一杯の大きさの径の音響出力部２２を備えたスピーカ機能部２３を該スピーカフレーム部２１に設けることができる（図３における点線の径と太線の径を比較参照のこと。）。従って、大きな径の音響出力部２２を備えたスピーカ機能部２３を設けることができることから、各スピーカ装置１１，１２をそれぞれ介して高音質の音響出力を得ることを可能とすることができる。
【００２７】
また、第１及び第２のスピーカ装置１１，１２を、筐体１の短手方向に並べて設置すると、スピーカ装置６全体の設置面積として、第１のスピーカ装置１１の設置面積と第２のスピーカ装置１２の設置面積とを加算した設置面積が必要となるが、当該実施の形態の携帯電話機に設けられているスピーカ装置６は、主に図２を用いて説明したように、第１及び第２のスピーカ装置１１，１２の各底面部同士を接着部材２０を介して接続して形成されており、図１（ａ），（ｂ）に示すように第１のスピーカ装置１１の放音方向が当該携帯電話機の筐体１の正面部１ａ側を向くように、また、第２のスピーカ装置１２の放音方向が当該携帯電話機の筐体１の背面部１ｂ側を向くように、該筐体１内のスピーカ収納部８に重ねて設置されている。このため、第１及び第２のスピーカ装置１１，１２を上記並べて設置した場合と比較して１／２の設置面積で、当該スピーカ装置６を筐体１に設置可能とすることができる。
【００２８】
［スピーカ装置とフレキシブル基板の接続工程］
次に、図４（ａ）に第１及び第２のスピーカ装置１１，１２の各底面部同士を接着部材２０を介して相互に接続して形成されるスピーカ装置６を一側面部２４側（＝各音声信号入力端子２５が設けられている面部側）から見た図を示す。この図４（ａ）からわかるように、第１及び第２のスピーカ装置１１，１２を前述のように相互に接続すると、各スピーカ装置１１，１２の各対の音声信号入力端子２５が上下に並ぶようになる。そして、この各音声信号入力端子２５に対して、フレキシブル基板に設けられた４つの端子部がそれぞれ半田付け処理されるようになっている。
【００２９】
しかし、この半田付け処理は、手作業により、一つの端子部毎に順次行うこととなるため、半田付け処理の位置ズレを発生することなく、全４つの端子部を正確に半田付け処理することは大変困難となる。
【００３０】
このため、当該実施の形態の携帯電話機に設けられるスピーカ装置６に対しては、図４（ｂ）に示す特殊形状のフレキシブル基板３０（ＦＰＣ）を半田付け処理することで、前述の位置ズレを防止するようになっている。
【００３１】
具体的に説明すると、この図４（ｂ）は、上記スピーカ装置６の各音声信号入力端子２５に接続するフレキシブル基板３０の端子部の部分を図示した図である。この図４（ｂ）からわかるように、フレキシブル基板３０は、各スピーカ装置１１，１２の横幅（＝一対の音声信号入力端子２５の設置間隔）と略等間隔で設けられた長板状の一対のアーム部３１を有している。
【００３２】
各アーム部３１は、図４（ａ）に示すように、底面部同士を接続した各スピーカ装置１１，１２の一側面部２４の間に形成される間隙部４０に挿入するための位置決め用突部３２をそれぞれ有している。また、各アーム部３１は、各位置決め用突部３２を上記間隙部４０に挿入した状態で、各スピーカ装置１１，１２の各音声信号入力端子２５に当接する位置に、それぞれ端子部３３を有している。各アーム部３１の各端子部３３には、当該アーム部３１の一部を切り欠くようにして半田付けし処理用の孔部３４がそれぞれ設けられている。
【００３３】
このようなフレキシブル基板３０の半田付け処理を行う場合、まず、上述のように各スピーカ装置１１，１２の底面部同士を接着部材２０を介して相互に接続することでスピーカ装置６を形成する。
【００３４】
次に、このように接続した各スピーカ装置１１，１２の一側面部２４の間に形成される間隙部４０に、図５に示すようにフレキシブル基板３０の各位置決め用突部３２を挿入する。これにより、フレキシブル基板３０の各アーム部３１に設けられている各端子部３３が、各スピーカ装置１１，１２の各音声信号入力端子２５に当接した状態で、各スピーカ装置１１，１２に対してフレキシブル基板３０が位置決め（仮止め）されることとなる。なお、この図５は、上記仮止めされた状態のフレキシブル基板３０を太線で示している。
【００３５】
次に、このように仮止めされた状態のフレキシブル基板３０の各端子部３３の各孔部３４の部分を介して、該各端子部３３と各スピーカ装置１１，１２の各音声信号入力端子を手作業で半田付け処理する。
【００３６】
フレキシブル基板３０には、一対の位置決め用突部３２が設けられており、半田付け処理の際に、この位置決め用突部３２を各スピーカ装置１１，１２の間の間隙部４０に挿入することで、フレキシブル基板３０の各端子部３３と各スピーカ装置１１，１２の各音声信号入力端子２５とをそれぞれ当接させた状態で、該各スピーカ装置１１，１２にフレキシブル基板３０を仮止めしている。そして、この仮止めしたフレキシブル基板３０の各端子部３３を、各スピーカ装置１１，１２の各音声信号入力端子２５にそれぞれ半田付け処理する。これにより、第１及び第２のスピーカ装置１１，１２の各音声信号入力端子２５にフレキシブル基板３０の各端子部３３を、正確に位置合わせした状態で位置ズレを発生することなく半田付け処理を行うことができる。
【００３７】
〔スピーカ装置の収納工程〕
次に、このようにフレキシブル基板３０が半田付け処理されたスピーカ装置６は、該フレキシブル基板３０が適宜、折曲加工されて、図１（ａ），（ｂ）に示したスピーカ収納部８に収納される。図６（ａ）に、スピーカ収納部８に収納された状態のスピーカ装置６を側面部側から見た図を、図６（ｂ）に、スピーカ収納部８に収納された状態のスピーカ装置６を上面側から見た図を、図７に、スピーカ収納部８に収納された状態のスピーカ装置６の斜視図をそれぞれ示す。なお、この図６（ａ），（ｂ）及び図７においては、フレキシブル基板３０を太線で図示している。
【００３８】
スピーカ装置６をスピーカ収納部８に収納する場合、主に図６（ａ）に示すようにフレキシブル基板３０が半田付け処理された状態のスピーカ装置６を、第１のスピーカ装置１１からスピーカ収納部８に収納する（＝第１のスピーカ装置１１を下にしてスピーカ収納部８に収納する。）。これにより、スピーカ収納部８に収納されたスピーカ装置６に半田付け処理されているフレキシブル基板３０が、該スピーカ収納部８から突出して起立した状態となる。
【００３９】
次に、この起立しているフレキシブル基板３０を、各アーム部３１を介して、図６（ａ）及び図７に示すように、スピーカ収納部８に収納したスピーカ装置６の収納方向に折曲加工する。これにより、スピーカ収納部８から突出して起立した状態となっていたフレキシブル基板３０は、スピーカ装置６の収納方向に沿って延設された状態となる。
【００４０】
次に、このスピーカ装置６の収納方向に沿って延設された状態となっているフレキシブル基板３０を、図６（ａ）及び図７に示すように、スピーカ収納部８に収納したスピーカ装置６の第１のスピーカ装置１１に沿う方向に、再度、折曲加工する。そして、このようにフレキシブル基板３０を第１のスピーカ装置１１に沿う方向に折曲加工した状態で、筐体１内に組み込む。
【００４１】
これにより、図６（ａ），（ｂ）に示すようにフレキシブル基板３０の、スピーカ収納部８に収納したスピーカ装置６の収納方向に折曲加工された部分が、スピーカ収納部８と筐体１の上面部１ｃとの間に挟持されるかたちで、該スピーカ装置６及び当該スピーカ装置６に半田付け処理されたフレキシブル基板３０が、当該携帯電話機の筐体１内に収納されることとなる。
【００４２】
［使用条件に応じた各スピーカ装置のオンオフ制御］
次に、当該実施の形態の携帯電話機の場合、例えばハンドセット通話時や着信音出力時等の使用条件に応じて、各スピーカ装置１１，１２のオンオフ制御を行うことで、該各スピーカ装置１１，１２を選択的に用いるようになっている。
【００４３】
まず、図８に、この実施の形態の携帯電話機のブロック図を示す。この図８に示すように、当該実施の形態の携帯電話機は、基地局との間で音声通話、テレビ電話通話、電子メール、Ｗｅｂデータ（Web：World Wide Web）等の無線通信を行うアンテナ５１及び通信回路５２と、上述の第１及び第２のスピーカ装置１１，１２からなるスピーカ部６と、送話音声や当該携帯電話機の周囲の音声等を集音するためのマイクロホン部４と、操作メニュー、電子メール、画像（静止画像及び動画像）等を表示するための表示部２と、所望のメニューやメッセージ等の入力操作や、上記スピーカ部６から出力する音声の所望の音量の指定操作等を行うための操作部３と、発着信等を光でユーザに通知するための発光部５３（LED：Light Emitting Diode）と、所望の被写体の動画像或いは静止画像を撮像するためのカメラ部５，７とを有している。
【００４４】
また、この携帯電話機は、当該携帯電話機の筐体１を振動させて発着信等をユーザに通知するためのバイブレーションユニット５４と、時刻をカウントするタイマ５５と、基地局を介した無線通信処理を行うためのコミュニケーションプログラムや各種アプリケーションプログラムの他、これら各アプリケーションプログラムで取り扱われる各種データ（コンテンツ）等が記憶されたメモリ５６と、当該携帯電話機全体の動作を制御する制御部５７とを有している。
【００４５】
メモリ５６には、上記コミュニケーションプログラムの他、使用条件に応じて第１及び第２のスピーカ装置１１，１２のオンオフ制御や各スピーカ装置１１，１２から出力する音声の音量を調整するための音声出力制御プログラムと、カメラ部５，７の撮像制御を行うカメラ制御プログラムと、コミュニケーションネットワークやインターネット等の所定のネットワーク上に設けられたサーバ装置上で公開されているＷｅｂページを閲覧するためのＷｅｂブラウジングプログラムと、電子メールの作成や送受信を制御するための電子メール管理プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００４６】
また、メモリ５６には、ユーザの所望のスケジュールが登録されるスケジュール帳と、ユーザの知人や友人等のユーザ名、静止画像、住所、電話番号、電子メールアドレス、生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００４７】
また、メモリ５６には、当該携帯電話機の使用条件毎に予め定められた各スピーカ装置１１，１２のオンオフ情報である使用条件別スピーカオン／オフ情報と、ユーザにより指定された音量別に、各スピーカ装置１１，１２から出力する音声の音量が記憶された音声出力制御テーブル７０とが記憶されている。
【００４８】
次に、図９に、メモリ５６に記憶されている音声出力制御プログラムに基づいて行う各スピーカ装置１１，１２の音声出力制御に対応するブロック図を示す。この図９に示すブロック図には、所定の音声の出力を伴う各機能の機能ブロックも図示されている。具体的には、この図９に示すスケジューラ機能部６１は、メモリ５６に記憶されているスケジュール帳管理プログラムに基づいてユーザのスケジュール管理を行う機能であり、例えばユーザにより指定された時刻に所定のアラーム音を発生する機能である。
【００４９】
また、音楽再生機能部６２は、メモリ５６に記憶されている音楽プレーヤプログラムに基づいて音楽コンテンツの再生を行う機能であり、着信音再生機能部６３は、電話や電子メールが着信した際に所定の着信音を発生する機能である。また、音声電話機能部６４は、音声通話を実行する機能であり、ＴＶ電話機能部６５は、通話相手との間で音声及び画像を送受信しながら通話を行うＴＶ電話を実行する機能である。
【００５０】
なお、この図９に図示した各種機能は一例であり、この他、地上デジタルテレビジョン放送の受信機能、操作部３の操作音を発生する機能、電子メールの発信時に発信音を発生する機能等を含めてもよい。
【００５１】
この図９からわかるように、当該実施の形態の携帯電話機は、第１及び第２のスピーカ装置１１，１２のうち、オンオフ制御部６６により当該携帯電話機の使用条件に応じてオン制御されたスピーカ装置を介して、各機能６１〜６５が発生する音声を出力するようになっている。
【００５２】
具体的には、音声出力テーブル７０には、図１０に示すように各使用条件に対応する各スピーカ装置１１，１２のオン／オフ情報が記憶されている。制御部５７は、当該携帯電話機の使用条件に基づいて音声出力テーブル７０を参照し、該使用条件に対応する制御状態となるように各スピーカ装置１１，１２をオン制御或いはオフ制御する。
【００５３】
例えば、ユーザが当該携帯電話機の第１のスピーカ装置１１を耳にあて、マイクロホン部４を介して送話を行う、いわゆるハンドセット通話時となると、制御部５７は、図１０に示すようにフロントスピーカ装置である第１のスピーカ装置１１をオンとし、リアスピーカ装置である第２のスピーカ装置１２をオフするようにオンオフ制御部６６を制御する。
【００５４】
このハンドセット通話時には、コミュニケーションプログラムに基づく機能となる音声電話機能部６４からの受話音声がオンオフ制御部６６に供給されることとなる。そして、オンオフ制御部６６は、第１のスピーカ装置１１をオン、第２のスピーカ装置１２をオフとしているため、上記受話音声はアンプ部６７を介して上記兼用となっている第１のスピーカ装置１１からのみ出力されることとなる。
【００５５】
次に、ユーザが当該携帯電話機を把持しない状態で通話を可能とする、いわゆるハンズフリー通話時、或いは自分撮り用の第１のカメラ部５で撮像した自分の撮像画像と共に送話音声を送信して通話を行うＴＶ電話通話時となると、制御部５７は、図１０に示すようにフロントスピーカ装置である第１のスピーカ装置１１、及びリアスピーカ装置である第２のスピーカ装置１２を共にオンするようにオンオフ制御部６６を制御する。
【００５６】
このハンズフリー通話時には、コミュニケーションプログラムに基づく機能となる音声電話機能部６４からの受話音声がオンオフ制御部６６に供給されることとなる。そして、オンオフ制御部６６は、第１のスピーカ装置１１及び第２のスピーカ装置１２を共にオンとしているため、上記受話音声はアンプ部６７を介して第１のスピーカ装置１１から出力されると共に、アンプ部６８及び帯域別出力調整部６９を介して第２のスピーカ装置１２から出力されることとなる。
【００５７】
また、ＴＶ電話通話時には、コミュニケーションプログラムに基づく機能となるＴＶ電話機能部６５からの受話音声がオンオフ制御部６６に供給されることとなる。そして、オンオフ制御部６６は、第１のスピーカ装置１１及び第２のスピーカ装置１２を共にオンとしているため、上記受話音声はアンプ部６７を介して第１のスピーカ装置１１から出力されると共に、アンプ部６８及び帯域別出力調整部６９を介して第２のスピーカ装置１２から出力されることとなる。
【００５８】
なお、この例では、ハンズフリー通話時及びＴＶ電話通話時には、第１及び第２のスピーカ装置１１，１２を共にオン制御することとしたが、リアスピーカ装置である第２のスピーカ装置１２を、ユーザ設定によりオンオフ制御するようにしてもよい。この場合、ユーザは、設定メニューに基づいて、ハンズフリー通話時及びＴＶ電話通話時に第２のスピーカ装置１２のオン設定或いはオフ設定を選択設定する。この選択設定情報は、音声出力制御テーブルに登録される。制御部５７は、ハンズフリー通話時及びＴＶ電話通話時となると、この音声出力制御テーブルに登録されている上記選択設定情報を参照し、上記第２のスピーカ装置１２をオン制御或いはオフ制御する。これにより、ハンズフリー通話時及びＴＶ電話通話時における第２のスピーカ装置１２のオンオフ制御に対して、ユーザの意図を反映させることができる。
【００５９】
ここで、当該実施の形態の携帯電話機の場合、ハンズフリー通話時及びＴＶ電話通話時における第２のスピーカ装置１２を、当該携帯電話機の周囲の雑音に応じて自動的にオンオフ制御可能となっている。具体的には、ハンズフリー通話時及びＴＶ電話通話時における第２のスピーカ装置１２に対する上記設定メニューの選択項目として、ユーザ設定を反映させる選択項目と、周囲の雑音に応じて自動的にオンオフ制御する選択項目とが設けられている。
【００６０】
ユーザにより、周囲の雑音に応じて自動的にオンオフ制御する選択項目が選択されている場合、制御部５７は、ハンズフリー通話時或いはＴＶ電話通話時となると、マイクロホン部４により集音された周囲の雑音を検出する。なお、この周囲の雑音を検出するマイクロホン部としては、送話音声を集音するマイクロホン部４を兼用してもよいし、このマイクロホン部４とは別に、周囲の雑音検出用のマイクロホン部を設けてもよい。
【００６１】
制御部５７は、マイクロホン部４により検出された周囲の雑音の音量が所定音量以上の場合、上記オンオフ制御部６６を介して、上記第１のスピーカ装置１１及び上記第２のスピーカ装置１２を共にオン制御する。これにより、例えば当該携帯電話機の周囲が多少騒がしい環境等である場合、２つのスピーカ装置１１，１２を介して受話音声を出力することができ、当該携帯電話機のユーザに対して受話音声を聴取し易くすることができる。
【００６２】
これに対して、上記マイクロホン部４で検出された当該携帯電話機の周囲の音声の音量が所定音量よりも少ない場合、制御部５７は、第１のスピーカ装置１１をオン制御すると共に第２のスピーカ装置をオフ制御する。これにより、例えば当該携帯電話機の周囲が静かな環境等である場合、フロントスピーカ装置である第１のスピーカ装置１１のみから受話音声を出力することができ、必要以上に大きな音量の受話音声がスピーカ装置から出力される不都合を防止することができる。
【００６３】
次に、メモリ５６に記憶されている音楽プレーヤプログラムに基づいて音楽コンテンツを再生する音楽再生時となると、制御部５７は、図１０に示すようにフロントスピーカ装置である第１のスピーカ装置１１、及びリアスピーカ装置である第２のスピーカ装置１２を共にオンするようにオンオフ制御部６６を制御する。これにより、音楽再生機能部６２からの音楽コンテンツの再生出力が、第１及び第２のスピーカ装置１１，１２を介してそれぞれ出力され、いわゆるステレオ再生による音楽コンテンツの良好な聴取を可能とすることができる。
【００６４】
次に、当該携帯電話機に対して電話或いは電子メールの着信があると、制御部５７は、図１０に示すようにフロントスピーカ装置である第１のスピーカ装置１１をオフし、リアスピーカ装置である第２のスピーカ装置１２をオンするようにオンオフ制御部６６を制御する。これにより、着信音再生機能部６３からの所定の着信音が、リアスピーカ装置である第２のスピーカ装置１２からのみ出力される。
【００６５】
次に、メモリ５６に記憶されているスケジュール帳管理プログラムに基づくアラーム音出力時となると、制御部５７は、図１０に示すようにフロントスピーカ装置である第１のスピーカ装置１１をオフし、リアスピーカ装置である第２のスピーカ装置１２をオンするようにオンオフ制御部６６を制御する。これにより、スケジューラ機能部６１からの所定のアラーム音が、リアスピーカ装置である第２のスピーカ装置１２からのみ出力される。
【００６６】
［各スピーカ装置の出力音量制御］
次に、このような携帯電話機で音声を聴取する場合、通常、ユーザは、表示部２に対して正対した状態で各スピーカ装置１１，１２から出力される音声を聴取することとなる。しかし、当該実施の形態の携帯電話機の場合、第１のスピーカ装置１１は、放音を行う音響出力部が筐体１の正面部１ａ側（＝表示部２の表示面側）に向くように、また、第２のスピーカ装置１２は、放音を行う音響出力部が筐体１の背面部１ｄ側に向くように筐体１に設けられている（＝各スピーカ装置１１，１２の放音方向が略１８０度異なる。）。
【００６７】
このため、ユーザが表示部２に正対した状態で音声を聴取した場合、ユーザの耳に届く音声の音量が、各スピーカ装置１１，１２毎にそれぞれ異なる不都合を生ずる。すなわち、この状態で正対している第１のスピーカ装置１１から出力される音声の音量よりも、当該ユーザに対して反対方向に放音する第２のスピーカ装置１２から出力される音声の音量の方が少なくなり、ユーザの耳に届く各スピーカ装置１１，１２からの音声の音量のバランスが悪くなる不都合を生ずる。
【００６８】
当該実施の形態の携帯電話機の場合、制御部５７は、上述のハンズフリー通話時、ＴＶ電話通話時、及び音楽再生時等の、２つのスピーカ装置１１，１２を介して音声を出力する場合、まず、それぞれ可変利得アンプ部となっているアンプ部６７に設定する利得よりも所定分大きな利得を第２のスピーカ装置１２に接続されているアンプ部６８に設定制御する。これにより、第１のスピーカ装置１１を介して出力する音声の音量よりも、第２のスピーカ装置１２を介して出力する音声の音量の方を所定分多くすることができる。なお、各アンプ部６７，６８に設定する利得は、制御部５７が、ユーザにより指定された音声レベル等に基づいて可変設定することとなる。
【００６９】
次に、制御部５７は、帯域別出力調整部６９を介して、上記第２のスピーカ装置１２に音声を供給するアンプ部６８から出力された音声に対して高音及び低音等の帯域別に音量調整制御を行う。
【００７０】
具体的には、スピーカ装置から出力される音声は、低音が広い指向性を有していることから筐体１を回り込み易く、高音が狭い指向性を有していることから筐体１を回り込み難い特性を有している。また、音声出力テーブル７０には、各スピーカ装置１１，１２から出力する音声の音量別に、高音及び低音の調整音量が記憶されている。
【００７１】
このため、制御部５７は、各スピーカ装置１１，１２から出力する音声の音量に基づいて音声出力テーブル７０を参照することで、アンプ部６８から出力された音声に対する高音及び低音の各調整音量を認識し、帯域別出力調整部６９を介して、該アンプ部６８から出力された音声の高音の音量を所定分上げ、低音の音量を所定分上げるように調整制御する。
【００７２】
これにより、第１のスピーカ装置１１から出力される音声の音量と同等の音量の音声を、第２のスピーカ装置１２から第１のスピーカ装置１１側に回り込ませることができる。従って、各スピーカ装置１１，１２の放音方向が略１８０度異なり、ユーザが表示部２に対して正対した状態で各スピーカ装置１１，１２から出力される音声を聴取する場合でも、ユーザに対して、各スピーカ装置１１，１２から同じ音量の音声が出力されているように該音声を聴取させることができる。
【００７３】
［実施の形態の効果］
以上の説明から明らかなように、この実施の形態の携帯電話機は、略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に形成される余剰部分に一対の切り欠き部２５を形成し、この各切り欠き部２５に音声信号入力端子２６をそれぞれ設けている。
【００７４】
このため、各音声入力端子２６を設ける部分（＝上記切り欠き部２５の部分）を確保したうえで、スピーカフレーム部２１一杯の大きさの径の音響出力部２２を備えたスピーカ機能部２３を該スピーカフレーム部２１に設けることができる。従って、大きな径の音響出力部２２を備えたスピーカ機能部２３を設けることができることから、各スピーカ装置１１，１２をそれぞれ介して高音質の音響出力を得ることを可能とすることができる。
【００７５】
また、第１及び第２のスピーカ装置１１，１２を、筐体１の短手方向に並べて二次元的に設置すると、スピーカ装置６全体の設置面積として、第１のスピーカ装置１１の設置面積と第２のスピーカ装置１２の設置面積とを加算した設置面積が必要となるが、当該実施の形態の携帯電話機の場合、第１及び第２のスピーカ装置１１，１２の各底面部同士を接着部材２０を介して接続して形成しており、第１のスピーカ装置１１の放音方向が当該携帯電話機の筐体１の正面部１ａ側を向くように、また、第２のスピーカ装置１２の放音方向が当該携帯電話機の筐体１の背面部１ｂ側を向くように、該筐体１内のスピーカ収納部８に重ねて設置している。このため、第１及び第２のスピーカ装置１１，１２を上記並べて設置した場合と比較して１／２の設置面積で、２つのスピーカ装置１１，１２を筐体１に設置可能とすることができる。従って、少ない設定面積で２つのスピーカ装置１１，１２を設けることができることから、当該携帯電話機の筐体１の小型化を図ることができる。
【００７６】
また、このスピーカ装置６とフレキシブル基板３０とを接続するに際して、フレキシブル基板３０に一対の位置決め用突部３２を設け、この位置決め用突部３２を各スピーカ装置１１，１２の間の間隙部４０に挿入することで、フレキシブル基板３０の各端子部３３と各スピーカ装置１１，１２の各音声信号入力端子２５とをそれぞれ当接させた状態で、該各スピーカ装置１１，１２にフレキシブル基板３０を仮止めする。そして、この仮止めしたフレキシブル基板３０の各端子部３３を、各スピーカ装置１１，１２の各音声信号入力端子２５にそれぞれ半田付け処理する。これにより、第１及び第２のスピーカ装置１１，１２の各音声信号入力端子２５にフレキシブル基板３０の各端子部３３を、正確に位置合わせした状態で位置ズレを発生することなく半田付け処理を行うことができる。
【００７７】
また、ＷＣＤＭＡ通信規格（WCDMA：Wideband Code Division Multiple Access）ではナローバンドにおける音声帯域が２００ＭＨｚ〜３．４ＫＨｚであるのに対して、７ＭＨｚまで音声帯域を拡張するワイドバンド対応が提案されているが、既存の受話音声用のスピーカ装置では、上記ナローバンドの音声帯域に合わせて共振周波数が低く設計されているため、上記ワイドバンドに対応するのは困難となる。これに対して、当該実施の形態の携帯電話機では、広帯域の再生が可能な第１のスピーカ装置１１を、音楽等の出力用のスピーカ装置と受話音声出力用のスピーカ装置とで兼用しているため、そのまま上記ワイドバンドに対応可能とすることができる。
【００７８】
また、各スピーカ装置１１，１２は同径であるため、リアスピーカ装置となる第２のスピーカ装置１２からのリーク音を、フロントスピーカ装置である第１のスピーカ装置１１本体により機構的に遮断することができる。
【００７９】
また、ハンドセット通話時、着信音出力時、音楽再生時等の使用条件に応じて、各スピーカ装置１１，１２のオンオフ制御を行うことで、該各スピーカ装置１１，１２を上記使用条件に応じて適宜使い分けることを可能とすることができる。
【００８０】
また、ハンズフリー通話時、ＴＶ電話通話時、及び音楽再生時等の、２つのスピーカ装置１１，１２を介して音声を出力する場合、第１のスピーカ装置１１を介して出力する音声の音量よりも、第２のスピーカ装置１２を介して出力する音声の音量の方が所定分多くなるように、該各スピーカ装置１１，１２に接続されたアンプ部６７、６８に設定する利得を調整する。さらに、第２のスピーカ装置１２に接続されているアンプ部６８から出力された音声の高音の音量を所定分上げ、低音の音量を所定分上げるように調整制御する。これにより、第１のスピーカ装置１１から出力される音声の音量と同等の音量の音声を、第２のスピーカ装置１２から第１のスピーカ装置１１側に回り込ませることができる。従って、各スピーカ装置１１，１２の放音方向が略１８０度異なり、ユーザが表示部２に対して正対した状態で各スピーカ装置１１，１２から出力される音声を聴取する場合でも、ユーザに対して、各スピーカ装置１１，１２から同じ音量の音声が出力されているように該音声を聴取させることができる。
【００８１】
［変形例］
上述の実施の形態は、本発明を携帯電話機に適用した例であったが、本発明は、この他、ＰＨＳ電話機（PHS：Personal Handyphone System）、ＰＤＡ装置（PDA：Personal Digital Assistant）、ノート型のパーソナルコンピュータ装置、携帯ゲーム機等の他の携帯機器に適用してもよい。いずれの場合でも、上述と同じ効果を得ることができる。
【００８２】
最後に、上述の実施の形態は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００８３】
【図１】本発明を適用した実施の形態となる携帯電話機の外観及びスピーカ装置の収納位置を示す図である。
【図２】実施の形態の携帯電話機に設けられているスピーカ装置の斜視図である。
【図３】実施の形態の携帯電話機に設けられているスピーカ装置の上面図である。
【図４】実施の形態の携帯電話機に設けられているスピーカ装置の背面、及びこのスピーカ装置に半田付け処理されるフレキシブル基板を示す図である。
【図５】実施の形態の携帯電話機に設けられているスピーカ装置に仮止めされた状態のフレキシブル基板を示す図である。
【図６】実施の形態の携帯電話機の筐体に対する、スピーカ装置及びこのスピーカ装置に半田付け処理されたフレキシブル基板の収納状態を示す図である。
【図７】実施の形態の携帯電話機のスピーカ装置に半田付け処理されたフレキシブル基板の斜視図である。
【図８】実施の形態の携帯電話機のブロック図である。
【図９】実施の形態の携帯電話機の一部機能ブロックを含めたブロック図である。
【図１０】実施の形態の携帯電話機における使用条件に応じた第１及び第２のスピーカ装置のオンオフ制御を説明するための図である。
【符号の説明】
【００８４】
１  携帯電話機の筐体、１ａ  携帯電話機の筐体の正面部、１ｂ  携帯電話機の筐体の底面部、１ｃ  携帯電話機の筐体の上面部、１ｄ  携帯電話機の筐体の背面部、２  携帯電話機の表示部、３  携帯電話機の操作部、４  携帯電話機のマイクロホン部、５  自分撮り用の第１のカメラ部、６  スピーカ装置、７  第２のカメラ部、８  スピーカ収納部、１１  第１のスピーカ装置、１２  第２のスピーカ装置、２０  第１及び第２のスピーカ装置の接着部材、２１  スピーカフレーム部、２２  音響出力部、２３  スピーカ機能部、２４  スピーカ装置の一側面部、２５  切り欠き部、２６  切り欠き部に設けられた音声信号入力端子、３０  フレキシブル基板、３１  フレキシブル基板のアーム部、３２  フレキシブル基板の位置決め用突部、３３  フレキシブル基板の端子部、３４  フレキシブル基板の半田付けし処理用の孔部、４０  第１及び第２のスピーカ装置の間隙部、５１  アンテナ、５２  通信回路、５３  発光部（ＬＥＤ）、５４  バイブレーションユニット、５５  タイマ、５６  メモリ、５７  制御部、６１  スケジューラ機能部、６２  音楽再生機能部、６３  着信音再生機能部、６４  音声電話機能部、６５  ＴＶ電話機能部、６６  オンオフ制御部、６７  第１のスピーカ装置用のアンプ部、６８  第２のスピーカ装置用のアンプ部、６９  帯域別出力調整部、７０  音声出力制御テーブル
【図１】
2009060426.tif 000003
【図２】
2009060426.tif 000004
【図３】
2009060426.tif 000005
【図４】
2009060426.tif 000006
【図５】
2009060426.tif 000007
【図６】
2009060426.tif 000008
【図７】
2009060426.tif 000009
【図８】
2009060426.tif 000010
【図９】
2009060426.tif 000011
【図１０】
2009060426.tif 000012